(57)【要約】【課題】寸法が大型化することなく、グローブと光源保持部とを堅固に固定することができるランプを提供する。【解決手段】ＬＥＤ１５を実装したＬＥＤ基板１１と、当該ＬＥＤ基板１１を表面に載置して保持する光源保持部２０と、を有するＬＥＤランプ１において、光源保持部２０の表面２０Ａにねじ止めされ、ＬＥＤ基板１１を覆うグローブ１２を備え、グローブの縁部の複数箇所をＬＥＤ基板１１に向かって凹ませて、ねじ止め用のねじ止め部１３を設けた。【選択図】図６
2014089935.tif 000002
【特許請求の範囲】
【請求項１】
発光素子を実装した基板と、当該基板を表面に載置して保持する光源保持部と、を有するランプにおいて、
前記光源保持部の表面にねじ止めされ、前記基板を覆うカバーを備え、
前記カバーの縁部の複数箇所を前記基板に向かって凹ませて、前記ねじ止め用のねじ止め部を設けたことを特徴とするランプ。
【請求項２】
前記発光素子の放射範囲から外れた箇所に前記ねじ止め部を設けたことを特徴とする請求項１に記載のランプ。
【請求項３】
前記カバーは、少なくとも前記発光素子の放射範囲の光束が入射する面が一定の曲率に形成されていることを特徴とする請求項１または２に記載のランプ。
【請求項４】
前記カバーの周縁に、前記光源保持部に当接するフランジを設け、前記フランジと前記光源保持部との当接面間に防水部材を介在させたことを特徴とする請求項１乃至３のいずれかに記載のランプ。
【発明の詳細な説明】
【技術分野】
【０００１】
本発明は、例えばＬＥＤ（Light Emitting Diode）、有機ＥＬ（Electro Luminescence）などの発光素子を光源に用いた口金型のランプに関する。
【背景技術】
【０００２】
近年、半導体発光素子の一種であるＬＥＤの高出力化、及び低コスト化に伴い、電球の代替として使用可能な口金型のＬＥＤランプが普及している。この種のＬＥＤランプは、透光性を有するカバー部材としてのグローブにより、発光部を略密閉している。例えば、特許文献１に記載のＬＥＤランプでは、グローブの内周面に形成したねじ部を、光源であるＬＥＤを実装したＬＥＤ基板を保持する光源保持部の外周面に設けたねじ部に螺合している（例えば特許文献１参照）。
【先行技術文献】
【特許文献】
【０００３】
【特許文献１】特開２０１２−１２４１１０号公報
【発明の概要】
【発明が解決しようとする課題】
【０００４】
ところで、この種のＬＥＤランプは、看板等の屋外に配設された照明対象を照らす用途に使用されることが多く、グローブにより発光部を密閉してＬＥＤランプを防水構造としている。しかしながら、ＬＥＤの高出力化に伴って、ランプ点灯中の温度上昇による発光部内の内部圧力の上昇が著しく、グローブの内周面に形成したねじ部を、光源保持部の外周面に設けたねじ部に螺合して、グローブで発光部を密閉する構造では、グローブを保持する強度が不足する場合があった。
グローブを光源保持部に堅固に固定するために、例えばグローブの外周に沿ってフランジを設け、当該フランジを光源保持部にねじによりねじ止めする構成が考えられるが、フランジ、及び、当該フランジを光源保持部に固定する固定部を設ける必要があり、ＬＥＤランプが大型化するという問題があった。
本発明は、上述した事情に鑑みてなされたものであり、寸法が大型化することなく、グローブと光源保持部とを堅固に固定することができるランプを提供することを目的とする。
【課題を解決するための手段】
【０００５】
上記目的を達成するために、本発明は、発光素子を実装した基板と、当該基板を表面に載置して保持する光源保持部と、を有するランプにおいて、前記光源保持部の表面にねじ止めされ、前記基板を覆うカバーを備え、前記カバーの縁部の複数箇所を前記基板に向かって凹ませて、前記ねじ止め用のねじ止め部を設けたことを特徴とする。
【０００６】
また本発明は、上記ランプにおいて、前記発光素子の放射範囲から外れた箇所に前記ねじ止め部を設けたことを特徴とする。
【０００７】
また本発明は、上記ランプにおいて、前記カバーは、少なくとも前記発光素子の放射範囲の光束が入射する面が一定の曲率に形成されていることを特徴とする。
【０００８】
また本発明は、上記ランプにおいて、前記カバーの周縁に、前記光源保持部に当接するフランジを設け、前記フランジと前記光源保持部との当接面間に防水部材を介在させたことを特徴とする。
【発明の効果】
【０００９】
本発明によれば、基板を覆うカバーの縁部を基板の中心に向かって凹ませて、カバーを光源保持部にねじ止めするためのねじ止め部を設けたため、カバー、及び、光源保持部をねじ止め部を形成するために大きくする必要がない。よって、寸法が大型化することなく、カバーと光源保持部とを堅固に固定することができる。
【図面の簡単な説明】
【００１０】
【図１】本発明の実施形態に係るＬＥＤランプを備えた照明装置を示す模式図である。
【図２】ＬＥＤランプの重心を示す図である。
【図３】ＬＥＤランプとランプホルダーの断面図である。
【図４】ＬＥＤランプの上面斜視図である。
【図５】ＬＥＤランプの下面斜視図である。
【図６】ＬＥＤランプの分解斜視図である。
【図７】（Ａ）はＬＥＤランプの断面図であり、（Ｂ）は図中Ｂ部拡大図である。
【図８】ＬＥＤランプの上面図である。
【図９】グローブ取付部とＬＥＤとの配置関係を示す図である。
【図１０】光源保持部と筒状部との分解斜視図である。
【図１１】ホルダー部の構成を示す図であり、（Ａ）はホルダー部の構成を示す斜視図、（Ｂ）はホルダー部に電気回路基板を支持した状態を示す正面斜視図、（Ｃ）はホルダー部に電気回路基板を支持した状態を示す背面斜視図である。
【図１２】電気回路基板の回路図である。
【発明を実施するための形態】
【００１１】
以下、本発明の実施の形態を、図面を参照しながら説明する。
なお、以下の実施形態では、発光素子を光源に備えるランプとして、ＬＥＤを光源に備えたＬＥＤランプを例示するが、本発明はこれに限定されるものではなく、例えば有機ＥＬ等の他の発光素子を光源に備えるランプにも適用可能である。
図１は、本実施形態に係るＬＥＤランプ１を備えたランプ装置１００を示す図である。
同図に示すランプ装置１００は、屋外の看板照明等に用いられる屋外設置型の照明器具であり、ＬＥＤランプ１と、ＬＥＤランプ１が装着されるランプホルダー１１０と、ランプホルダー１１０に電力供給線１０２で接続された電源ユニット１０１と、を備える。
【００１２】
ランプホルダー１１０は、既存の電球を装着可能なホルダーであり、ＬＥＤランプ１は、既存の電球と形状及び光学特性が略同じになるように構成され、既存の電球の代わりにランプホルダー１１０に装着して使用可能となっている。ＬＥＤランプ１の先端にはグローブ（カバー）１２が取り付けられる。グローブ１２は、例えば、表面に磨り加工（フロスト加工）を施したガラスや樹脂を用いて形成され、光拡散性を有する。ＬＥＤランプ１の発光は、グローブ１２により拡散されて、放射される。ＬＥＤランプ１には、ランプホルダー１１０の外周面に沿って延びる複数の放熱フィン２５が設けられる。
ランプホルダー１１０は、筒状のホルダー筐体（ホルダー部）１１１を備え、このホルダー筐体１１１の終端部１１２には、図示せぬ支持アームが回動自在に取り付けられるアーム取付部１１３が設けられている。
【００１３】
電源ユニット１０１には、ＬＥＤランプ１のＬＥＤ１５を点灯する直流電流を生成する電源（電力変換装置）や駆動回路を実装した電源基板（図示略）が収容される。このように、本実施形態のＬＥＤランプ１は、電源基板を収めた電源ユニット１０１を別体に備えている。ランプホルダー１１０に既存の電球、例えば水銀灯、を装着して使用する際には、電球と別体の安定器を備える必要があった。既存の電球の代わりにランプホルダー１１０にＬＥＤランプ１装着して使用する際には、電源ユニット１０１を安定器と置き換えて使用することができる。この構成によれば、ＬＥＤ１５を点灯させる電源基板を内蔵した電源ユニット１０１をＬＥＤランプ１と別体に備えたため、ＬＥＤランプ１の軽量化を図ることができる。
【００１４】
ＬＥＤランプ１は、図２に示すように、自重中心位置Ｘが、ランプ光軸方向において放熱フィン２５内に位置するように構成されている。ホルダー筐体１１１の先端１１４には、ＬＥＤランプ１が挿入される先端開口１１５が設けられる。ホルダー筐体１１１の先端開口１１５は、ＬＥＤランプ１を装着したときに、ＬＥＤランプ１に当接して閉封される。また、先端開口１１５には、防水パッキン（シール部材）１１６が設けられ、当該防水パッキン１１６をＬＥＤランプ１との間に挟んで、開口縁部からの水の浸入を確実に防止することができる。これにより、ランプ装置１００は、屋外等で雨水の影響を受ける場所に設置して好適に用いることができる。
ＬＥＤランプ１の自重中心位置Ｘは、当該ＬＥＤランプ１が上述したようにランプホルダー１１０に装着されたときに、ホルダー筐体１１１の先端開口１１５がＬＥＤランプ１に当接する位置よりも、ホルダー筐体１１１の内側に位置するように構成されている。
【００１５】
ホルダー筐体１１１の内部には、図３に示すように、ＬＥＤランプ１の口金３が螺合する図示しないソケットが配設されている。このソケットには、図示は省略するが、外部から引き込まれ、電源ユニット１０１を介した電力を供給する電力供給線１０２が接続されており、口金３からＬＥＤランプ１に電力が供給される。
これらの構成によれば、ランプホルダー１１０は、ＬＥＤランプ１を、口金３が螺合するソケットと、ＬＥＤランプ１に当接するホルダー筐体１１１の先端開口１１５との２箇所で支持することができるため、ＬＥＤランプ１を保持するための強度を向上することができる。また、ＬＥＤランプ１の自重中心位置Ｘをホルダー筐体１１１の内側に位置するように構成したため、ＬＥＤランプ１をホルダー筐体１１１の先端開口１１５の位置でも支えることができ、ランプホルダー１１０にＬＥＤランプ１を装着した状態での振動に対する強度を向上することができる。
さらに、ＬＥＤランプ１は、光軸方向において、ホルダー筐体１１１の内部に収容される部分の長さが、ホルダー筐体１１１の外部の露出する部分の長さよりも長くなるように形成される。ＬＥＤランプ１は、ホルダー筐体１１１の先端１１４の位置で支持され、ホルダー筐体１１１の外部に露出する長さが短く形成されるため、振動に対する強度が向上される。
【００１６】
次にＬＥＤランプ１の構成について説明する。図４はＬＥＤランプ１の上面斜視図であり、図５はＬＥＤランプ１の下面斜視図であり、図６はＬＥＤランプ１の分解斜視図であり、図７はＬＥＤランプ１の断面図である。
ＬＥＤランプ１は、図４〜図７に示すように、発光部１０と、この発光部１０に直交して下方に向かって延び、終端３０Ｂに口金３が設けられた筒状部３０と、発光部１０の裏面に設けられた複数の放熱フィン２５とを備えている。
【００１７】
発光部１０は、上面１０Ａの略全体から上方に向けて光を放射するものであり、図４に示すように、上面視円形状に形成されたグローブ１２を備えている。発光部１０は、図８に示すように、光源たる複数のＬＥＤ１５と、これらのＬＥＤ１５を実装したＬＥＤ基板（基板）１１と、グローブ１２と、ＬＥＤ１５を実装したＬＥＤ基板１１を保持する光源保持部２０とを備えている。
グローブ１２は、光源たるＬＥＤ１５の放射範囲の光束が入射する面が一定の曲率に形成されている。グローブ１２には、図４に示すように、グローブ１２を光源保持部２０に固定するためのねじ４１をねじ止めするねじ止め部１３が設けられている。ねじ止め部１３は、グローブ１２の縁部１２Ａの複数箇所を、グローブ１２の中心に向かって凹ませて形成される。本実施形態では、ねじ止め部１３は、グローブ１２の周方向に等間隔で４箇所形成されている。
【００１８】
ねじ止め部１３は、図９に示すように、ＬＥＤ１５の放射範囲αから外れた箇所に設けられる。詳述すると、ねじ止め部１３は、ＬＥＤ１５が発する光が最大光度となる、ＬＥＤ１５の光軸Ｃから、ＬＥＤ１５が発する光が最大光度の２分の１となる放射範囲αから外れた箇所に設けられる。なお、本実施形態では、ＬＥＤ１５から出る光の光度が、最大光度の２分の１となる光度方向と、光軸Ｃと、の間の角度の２倍の角度である２分の１ビーム角βは、１２０度である。そして、ねじ止め部１３は、ＬＥＤ１５の２分の１ビーム角βから外れた箇所に設けられる。つまり、グローブ１２は、少なくともＬＥＤ１５の２分の１ビーム角度βの範囲の光束が入射する面が一定の曲率に形成されている。
ねじ止め部１３が設けられた位置では、グローブ１２の、光束が入射する面を一定の曲率とすることができず、ＬＥＤ１５の配光に影響を与える場合があるが、この構成によれば、ねじ止め部１３を２分の１ビーム角βから外れた箇所に設けたため、ねじ止め部１３による色ムラや照度ムラ等の影響を少なくすることができる。
【００１９】
光源保持部２０は、図６に示すように、筒状部３０よりも径が大きな上面視略円形状の部材である。光源保持部２０は、放熱性を有する金属により形成される。本実施形態においては、光源保持部２０は、アルミダイカストにより形成される。光源保持部２０は、ＬＥＤ基板１１が表面に載置される載置部２１を備え、上記放熱フィン２５は載置部２１の裏面に設けられている。なお、放熱フィン２５は、光源保持部２０に一体成形により形成されている。このように、放熱フィン２５を光源保持部２０に一体成形することで、ＬＥＤ基板１１が載置される載置部２１と放熱フィン２５との間の熱抵抗が抑えられ、放熱フィン２５への伝熱量が増加して高い放熱性能が得られる。
【００２０】
放熱フィン２５は、それぞれ略同形状の薄い板状であり、光源保持部２０の裏面２０Ｂからみて筒状部３０の軸線を中心にして略放射状に多数、光源保持部２０の裏面２０Ｂに立設されている。また、放熱フィン２５は、載置部２１の外周よりも外側に、光源保持部２０の径方向に張り出すように形成される。更に放熱フィン２５は、筒状部３０の軸線に沿って、口金３に向かって延びている。発光部１０は、これらの放熱フィン２５により、光源保持部２０の載置部２１に載置されたＬＥＤ基板１１が発する熱を効率良く放熱させることができる。また、放熱フィン２５を光源保持部２０の裏面２０Ｂに立設し、筒状部３０の軸線に沿って口金３の方向に延ばしたため、上述したように、ＬＥＤランプ１の自重中心位置Ｘを、ＬＥＤランプ１がランプホルダー１１０に装着されたときに、ホルダー筐体１１１の内側に位置するように構成することができる。なお、放熱フィン２５は、ＬＥＤランプ１を図２に示すように、ランプホルダー１１０に装着した際に、ホルダー筐体１１１の外周面との間に隙間Ｓが形成されるように構成される。この構成によれば、隣り合う放熱フィン２５間を流れる空気の流通がホルダー筐体１１１により阻害されることなく、放熱フィン２５の冷却性能を向上させることができる。
【００２１】
ＬＥＤ１５は、例えばＬＥＤ素子をパッケージ化してなるものであり、本実施形態では、ＬＥＤ１５に白色ＬＥＤが用いられている。なお、ＬＥＤ１５に白色以外の他の発光色のＬＥＤを用いても良いことは勿論である。
ＬＥＤ基板１１は、略十字形状に形成され（図８参照）、表面に複数のＬＥＤ１５が実装され、裏面を光源保持部２０の載置部２１に当接させて、載置部２１の上面にねじ４２によりねじ止め固定されている。ＬＥＤ基板１１には、略中央に電力供給用のリード線（図示せず）が通される配線孔１１Ａが設けられている。配線孔１１ＡからＬＥＤ基板１１の表面側に引き出されたリード線は、４つのＬＥＤ１５から成るＬＥＤ発光回路７０（図１２参照）に電気的に接続される。
【００２２】
光源保持部２０の表面２０Ａには、載置部２１の外周縁近傍に、ＬＥＤ基板１１を覆うグローブ１２をねじ４１によりねじ止めするための固定部２９が、周方向に等間隔で複数設けられる。固定部２９は、グローブ１２に設けられたねじ止め部１３に対応する位置に設けられる。また、光源保持部２０の表面２０Ａには、固定部２９を避けるように固定部２９の内側に設けられ、載置部２１の外周縁に沿って形成された溝２６が備えられている。溝２６には、発光部１０を防水する防水部材２７が嵌め込まれる。防水部材２７は、例えばシリコン等の弾性部材により、溝２６の形状に合った形状に予め形成され、溝２６に嵌め込まれる。グローブ１２には、溝２６に嵌め込まれた防水部材２７に当接するフランジ１４が設けられる。フランジ１４は、グローブ１２の外周に沿って、グローブ１２に一体に形成される。上述したねじ止め部１３は、グローブ１２の外周より内側に形成されているため、フランジ１４を光源保持部２０にねじ止めする場合に比べて、グローブ１２の外形寸法を小型化することができる。
【００２３】
防水部材２７は、ねじ止め部１３に挿通されたねじ４１を、光源保持部２０の表面２０Ａの固定部２９に設けられたボス２９Ａにねじ込むに伴い、防水部材２７がグローブ１２のフランジ１４と載置部２１との間で押し潰されて、挟み込まれる。このように、グローブ１２の載置部２１への取付構造をねじ構造とするとともに、グローブ１２のフランジ１４と載置部２１との間に防水部材２７を挟み込むことで発光部１０の防水性が高められている。特に、フランジ１４と載置部２１との間に防水部材２７を挟み込むことで、平らな面状の載置部２１の周縁近傍に、平らな面状のグローブ１２のフランジ１４を当接させて、グローブ１２を光源保持部２０に固定しても、フランジ１４と光源保持部２０との間の当接面間から雨水等の水が発光部１０内に浸入することがなく、ＬＥＤランプ１を防水構造とすることができる。
【００２４】
なお、グローブ１２のねじ止め部１３に設けられたねじ孔は、光源保持部２０の表面２０Ａに設けられた固定部２９に設けられたボス２９Ａが挿入可能な大きさに形成されている。この構成によれば、グローブ１２を光源保持部２０に固定する際に、グローブ１２のねじ孔に、光源保持部２０のボス２９Ａを挿入して、グローブ１２を光源保持部２０に対して所定の位置に位置決めすることができるため、グローブ１２の光源保持部２０への取付作業性が向上する。
【００２５】
ＬＥＤ基板１１は、外周縁が、載置部２１に設けられた溝２６の形状に沿った形状に形成されている。つまり、ＬＥＤ基板１１は、平円板の外周の一部、特に、光源保持部２０の表面２０Ａに設けられた固定部２９に対応する位置を切り欠いた略十字形状に形成されている（図８参照）。ＬＥＤ基板１１は、載置部２１に載置されて、溝２６の内側に、ねじ４２により、載置部２１に固定される。また、ＬＥＤ基板１１は、熱伝導性の高い例えばアルミニウム材等の金属材で構成されているため、ＬＥＤ１５の発熱を効率良く光源保持部２０の載置部２１に伝熱して放熱フィン２５から放熱させることができる。ＬＥＤ１５は、ＬＥＤ基板１１の表面である実装面に、同心円状に複数実装され、特に、ＬＥＤ基板１１の外周縁近傍に実装される。ＬＥＤ基板１１は、特に、グローブ１２が光源保持部２０にねじ４１によりねじ止めされる位置を避けた位置で、ＬＥＤ基板１１の中心から径方向に最も離れた位置に配設されている。これにより、ＬＥＤランプ１の照射範囲を広くすることができる。
【００２６】
筒状部３０は、終端３０Ｂに、口金３が冠着されて設けられている。筒状部３０は、絶縁性を有する、例えばポリカーボネイト等の樹脂材を用いて形成されている。これにより、筒状部３０と口金３との絶縁が図られている。この構成によれば、筒状部３０を樹脂材を用いて成形することで、筒状部３０の軽量化を図ることができる。
なお、筒状部３０は、熱伝導性を有する金属で形成した部材と、絶縁性を有する材料から形成された部材とをインサート成型により形成する構成であっても良い。
【００２７】
筒状部３０は、光源保持部２０に固定される先端３０Ａにフランジ部３１を備える。フランジ部３１は、樹脂成形により筒状部３０と一体に形成される。この構成によれば、筒状部３０を樹脂材を用いて一体成形したため、筒状部３０の軽量化を図ることができる。
筒状部３０の内部には、電気回路基板５０が、基板ホルダー５５に保持されて収められている。電気回路基板５０は、口金３側の端部で図示せぬリード線を通じて口金３と電気的に接続されている。
【００２８】
口金３は、既設のランプホルダー１１０のソケット（例えばＥ２６型ソケット）に螺合するねじ山が切られた筒状のシェル６と、このシェル６の端部の頂部に絶縁部４を介して設けられたアイレット５とを備え、シェル６及びアイレット５が既存のソケットに装着可能な形状寸法に構成されている。これにより、当該ＬＥＤランプ１は、天井や壁面に既設のソケットや、既存の電球を装着して使用する上記ランプホルダー１１０のソケットに装着でき、既存の電球の代替として使用できる。
【００２９】
ところで、光源保持部２０は、アルミニウム等の金属材料を用いることで高い放熱性能が得られるものの、重量が重くなるため、樹脂製の筒状部３０との接続部の強度が不足する、という問題もある。そこで、本実施形態のＬＥＤランプ１では、光源保持部２０と筒状部３０との固定構造は、光源保持部２０と筒状部３０とを堅固に固定するための固定構造とされている。
光源保持部２０と筒状部３０との固定構造について詳述すると、光源保持部２０は、図６、及び、図１０に示すように、表面２０Ａの略中央部を凹ませて形成された凹部２２を備えている。また、光源保持部２０の略中央には、凹部２２の底部２２Ａに、表裏を貫通する貫通孔２３が設けられている。貫通孔２３は、筒状部３０を貫通させることができる径寸法に形成されている。凹部２２は、底部２２Ａに向かって径が小さくなる円錐台形状に形成されている。凹部２２の側面２２Ｂには、薄い板状のフィン２８が複数立設されている。フィン２８は、光源保持部２０の載置部２１にＬＥＤ基板１１が載置された際に、ＬＥＤ基板１１の裏面に上端２８Ａが当接されるように構成されている。フィン２８は、特に、光源保持部２０の載置部２１に載置されたＬＥＤ基板１１に実装されたＬＥＤ１５が配設される位置の近傍に設けられるのが望ましい。この構成によれば、光源保持部２０は、ＬＥＤ基板１１に当接する載置部２１の面積を小さくして、凹部２２を形成し、光源保持部２０の軽量化を図り、かつ、フィン２８からＬＥＤ１５が発した熱をＬＥＤ基板１１を介して光源保持部２０に伝熱させ、放熱フィン２５により効率良く放熱させることができる。
【００３０】
凹部２２の底部２２Ａには、表面に、筒状部３０を光源保持部２０にねじ止めするためのボス２４が互いに等間隔に４箇所設けられている。
筒状部３０は、光源保持部２０の貫通孔２３に、光源保持部２０の表面側から挿入される。筒状部３０の先端３０Ａには、円盤状のフランジ部３１がつば状に設けられている。フランジ部３１は、樹脂成形により、筒状部３０と一体成形される。フランジ部３１の外径は、光源保持部２０の底部２２Ａの外径と略同じか、若干小さい径に形成される。また、フランジ部３１の表面には、複数のリブ３１Ａが立設され、当該リブ３１Ａによりフランジ部３１の強度が向上されている構成であっても良い。筒状部３０を光源保持部２０の表面側から貫通孔２３に挿入すると、貫通孔２３の縁部に沿ってある底部２２Ａに、筒状部３０のフランジ部３１が引き掛けられる。
【００３１】
フランジ部３１には、表裏に貫通するボス孔３３が設けられている。ボス孔３３は、凹部２２の底部２２Ａに設けられたボス２４に対応する位置に設けられている。筒状部３０を光源保持部２０の貫通孔２３に挿入した際には、ボス孔３３にボス２４が挿入される。つまり、筒状部３０は、光源保持部２０の貫通孔２３に挿入され、フランジ部３１が、光源保持部２０の底部２２Ａに引き掛けられ、さらに、フランジ部３１のボス孔３３に、底部２２Ａのボス２４が挿入されて、光源保持部２０に係止される。そして、筒状部３０は、図１０に示すように、ボス孔３３から挿入され、ボス２４に螺合されるねじ４３により光源保持部２０に固定される。なお、ねじ４３と、ボス２４との間には、ワッシャ―４４が挟み込まれている構成であっても良い。
【００３２】
本実施形態では、光源保持部２０は金属で形成されているため、重量が重い。光源保持部２０にねじ４３により固定された筒状部３０は、金属よりも強度が低くなり易い樹脂で形成されている。そのため、筒状部３０は、ねじ４３が挿入されるボス孔３３に、光源保持部２０の重量による負荷がかかり易い。また、樹脂材料により成形された筒状部３０は、紫外線や振動等の外部要因により劣化し、強度が低下する場合がある。そして、これらの要因により、フランジ部３１には、ボス孔３３から割れが生じる場合がある。本願構成によれば、光源保持部２０の貫通孔２３の筒状部３０を挿入して、貫通孔２３の縁部の底部２２Ａに筒状部３０のフランジ部３１を引きかけて、筒状部３０を光源保持部２０に固定しているため、たとえフランジ部３１に劣化による割れが生じても、光源保持部２０が筒状部３０から離脱することがなく、接続機能が失われることがない。
また、筒状部３０のフランジ部３１は、光源保持部２０の表面２０Ａに設けられた凹部２２の底部２２Ａに固定されるため、フランジ部３１が光源保持部２０の載置部２１に載置されたＬＥＤ基板１１に直接触れることがない。これにより、樹脂材料により成形されたフランジ部３１が、ＬＥＤ基板１１の熱抵抗となるのを防ぐことができる。また、筒状部３０をＬＥＤ基板１１から離して配設することができるため、樹脂材から形成された筒状部３０が、ＬＥＤ１５の発する熱により高温になるＬＥＤ基板１１に直接触れて変形や劣化などの不具合が生じるのを防止することができる。
【００３３】
光源保持部２０の裏面２０Ｂは、図５に示すように、光源保持部２０の表面２０Ａに形成された凹部２２に沿った形状に形成される。また、裏面２０Ｂには、貫通孔２３の縁部に沿って形成され、底部２２Ａから筒状部３０に沿ってシャフト状に延びる延出部３７が設けられている。また、底部２２Ａの裏面からは底部２２Ａの表面に形成されたボス２４の有底の端部３８が突出している。光源保持部２０の裏面２０Ｂには、放熱フィン２５と、凹部２２との間に、ＬＥＤランプ１をランプホルダー１１０に装着した際に、ホルダー筐体１１１の先端開口１１５が図示せぬ防水パッキン（シール部材）１１６を間に挟んで当接される当接部３６が形成される。当接部３６は、光源保持部２０の載置部２１に略平行な面であり、防水パッキン１１６が予め取り付けられた先端開口１１５が当接部３６に当接してランプホルダー１１０内部が確実に閉封されるように構成されている。
【００３４】
筒状部３０には、図６に示すように、筒状部３０を光源保持部２０の貫通孔２３に挿入する前に、Ｏリング３２が装着される。筒状部３０を、光源保持部２０の貫通孔２３に挿入すると、筒状部３０に装着されたＯリング３２は、貫通孔２３の縁部から延びる延出部３７と、筒状部３０との間に挟まれて圧縮される。これにより、貫通孔２３と、筒状部３０との間の隙間から雨水等の水が発光部１０内に侵入するのを防止することができる。
これらの構成によれば、ＬＥＤランプ１は、光源保持部２０とグローブ１２との間に配設された防水部材２７、筒状部３０と光源保持部２０との間に配設されたＯリング３２、及び、筒状部３０の終端３０Ｂに冠着された口金３により密閉された防水構造に構成される。
なお、ＬＥＤ基板１１及びグローブ１２は、筒状部３０を光源保持部２０に固定した後に、光源保持部２０に固定される。また、口金３は、筒状部３０を光源保持部２０に固定した後に、筒状部３０に冠着される。
【００３５】
筒状部３０の内部には、図７に示すように、電気回路基板５０が収容される。電気回路基板５０は、基板ホルダー５５に保持されて、筒状部３０内に挿入される。基板ホルダー５５は、図１１（Ａ）に示すように、電気回路基板５０を挟持する一対の挟持部５９と、一対の挟持部５９間に架け渡された橋架部５８と、を備える。なお、以下の説明において、基板ホルダー５５の前後とは、図１１（Ａ）で示した方向から基板ホルダー５５を視た際の方向に基づくものである。挟持部５９と、橋架部５８とは、一体に形成される。
挟持部５９は、前面支持部５９Ａ、後面支持部５９Ｂ、及び、下端支持部５９Ｃを有する。電気回路基板５０は、図１１（Ｂ）及び（Ｃ）に示すように、前面支持部５９Ａと後面支持部５９Ｂとの間にスライドさせて挟み込み、下端を下端支持部５９Ｃ上に載置させて、ホルダー部５７に保持される。
【００３６】
基板ホルダー５５は、図７（Ａ）に示すように、挟持部５９で電気回路基板５０を挟持した状態で、筒状部３０内に挿入され、橋架部５８の両端部５８Ａが筒状部３０のフランジ部３１に引掛けられて、係止される。基板ホルダー５５は、図７（Ｂ）に示すように、筒状部３０をねじ４３により光源保持部２０に固定する際に、ねじ４３を、橋架部５８に形成されたねじ孔５８Ｂに挿入して、筒状部３０と共に、ねじ４３により光源保持部２０の底部２２Ａに固定される。
【００３７】
ところで、ＬＥＤ１５は、極性を有するため、正極と負極とが反転して接続された場合には点灯しなくなるという問題がある。そのため、ランプ装置１００の設置時には、電源ユニット１０１を介した電力をＬＥＤランプ１に口金３を介して供給する電力供給線１０２の正極／負極を見極めて配線する必要があり、効率が悪かった。本実施形態では、ランプ装置１００の設置作業の効率化を図るべく、ＬＥＤランプ１に電気回路基板５０が内蔵されている。
【００３８】
電気回路基板５０には、図１２に示すように、ＬＥＤランプ１と別置きされた電源ユニット１０１から端子５３，５４を介して入力される直流電流の入力側にヒューズ５１が接続されている。なお、ヒューズ５１は、ランプホルダー１１０に電源ユニット１０１ではなく、例えば、交流２００Ｖ等が間違って接続された場合に、事故が起こるのを防止する為に電気回路基板５０に取り付けられる。
また、電気回路基板５０は、ヒューズ５１の下流側に整流器５２を備える。ＬＥＤ基板１１の裏面に形成されたＬＥＤ発光回路７０には、整流器５２により整流された電力が供給される。この構成によれば、ＬＥＤランプ１は、電気回路基板５０を備えているため、ＬＥＤランプ１の入力端子である端子５３あるいは端子５４のいずれが正極端子、或いは、負極端子となってもＬＥＤ１５を発光させることができる。これにより、ランプ装置１００の設置時には、電源ユニット１０１を介した電力をＬＥＤランプ１に口金３を介して供給する電力供給線１０２を、正極／負極の配線を気にすることなく、ランプホルダー１１０内のソケットに接続することができ、設置作業の効率化を図ることができる。
【００３９】
以上説明したように、本発明を適用した実施形態によれば、ＬＥＤ１５を実装したＬＥＤ基板１１と、当該ＬＥＤ基板１１を表面に載置して保持する光源保持部２０と、を有するＬＥＤランプ１において、光源保持部２０の表面２０Ａにねじ止めされ、ＬＥＤ基板１１を覆うグローブ１２を備え、グローブの縁部の複数箇所をＬＥＤ基板１１に向かって凹ませて、ねじ止め用のねじ止め部１３を設けた。
この構成によれば、グローブ１２を光源保持部２０にねじ止めするためのねじ止め部１３を、グローブ１２の外縁より内側に設けることができる。よって、ねじ止め部１３を形成するために、グローブ１２の外形寸法を大きくする必要がなく、ＬＥＤランプ１の寸法が大型化することがない。また、グローブ１２を光源保持部２０の表面２０Ａにねじ止めするため、グローブの内周面に形成したねじ部を、光源保持部の外周面に設けたねじ部に螺合して、グローブ１２を光源保持部２０に取り付ける構成に比べて、をグローブ１２と光源保持部２０とを堅固に固定することができる。
【００４０】
また、本発明を適用した実施形態によれば、ＬＥＤ１５の放射範囲から外れた箇所にねじ止め部１３を設けた。これにより、ねじ止め部１３が、ＬＥＤ１５から放射される光の配光に影響を与えることがない。よって、ねじ止め部１３をグローブ１２の外縁より内側に設けても、ねじ止め部１３により、ＬＥＤランプ１が発する光に色ムラや輝度ムラが生じるのを防ぐことができる。
【００４１】
また、本発明を適用した実施形態によれば、グローブ１２は、少なくともＬＥＤ１５の放射範囲の光束が入射する面が一定の曲率に形成されている。これにより、ＬＥＤランプ１が発する光に色ムラや輝度ムラが生じるのを防ぐことができる。よって、ＬＥＤランプ１を看板等の照明対象を照らす用途に好適に用いることができる。
【００４２】
また、本発明を適用した実施形態によれば、グローブ１２の周縁に、光源保持部２０に当接するフランジ１４を設け、フランジ１４と光源保持部２０との当接面間に防水部材２７を介在させた。この構成によれば、グローブ１２の周縁に設けられたフランジ１４と、光源保持部２０と、の当接面間から雨水等の水が発光部１０内に侵入するのを防止することができる。よって、ＬＥＤランプ１を、屋外等の雨水の影響を受ける場所で好適に利用することができる。
【符号の説明】
【００４３】
１  ＬＥＤランプ（ランプ）
３  口金
１１  ＬＥＤ基板（基板）
１２  グローブ（カバー）
１３  ねじ止め部
１４  フランジ
１５  ＬＥＤ（発光素子）
２０  光源保持部
２７  防水部材
α  放射範囲
【図１】
2014089935.tif 000003
【図２】
2014089935.tif 000004
【図３】
2014089935.tif 000005
【図４】
2014089935.tif 000006
【図５】
2014089935.tif 000007
【図６】
2014089935.tif 000008
【図７】
2014089935.tif 000009
【図８】
2014089935.tif 000010
【図９】
2014089935.tif 000011
【図１０】
2014089935.tif 000012
【図１１】
2014089935.tif 000013
【図１２】
2014089935.tif 000014